(57)【要約】【課題】電磁誘導による非接触通電方式にて指針を発光させるに際して台座部材を採用する場合でも軽量化やコスト削減を図ることができる指針式計器を提供する。【解決手段】回路基板２と、駆動本体Ｍと、指針８と、パネル部材（表示板）５及び第１，第２の表示板（表示板）６，７と、反射部材３と、表示板用光源ＬＤと、指針用光源ＬＮ及びコイルパターン（電力発生手段）８４と、電磁界発生手段ＥＭと、電磁界発生手段ＥＭを回路基板２よりもコイルパターン８４に近い位置に支持する台座部材９とを備え、電磁界発生手段ＥＭの電磁界によりコイルパターン８４に指針用光源ＬＮに供給する電力を発生させる指針式計器において、台座部材９に表示板用光源ＬＤからの光を指針軸Ｓとは直交する方向に透過させる透光部９４を設けた。【選択図】図６
2011133349.tif 000002
【特許請求の範囲】
【請求項１】
回路基板と、この回路基板の背面に本体部が固定され指針軸が前記回路基板の前面側に貫通する駆動本体と、前記指針軸に連結され軸回り回転する指針と、回路基板の前方側に配置され前記指針の指示対象となる指標部が形成された表示板と、この表示板の背後に対向配置され当該表示板との間で前記指針軸の周囲に空間部を形成する反射部材と、前記指針軸とは前記空間部を介して離間配置され前記空間部内に光を供給し前記指標部を照明する表示板用光源と、前記指針に搭載される指針用光源及び電力発生手段と、この電力発生手段に対向配置される電磁界発生手段と、前記回路基板と前記電磁界発生手段との間であって前記指針軸の周囲に配置され当該電磁界発生手段を前記回路基板よりも電力発生手段に近い位置に支持する台座部材とを備え、前記電磁界発生手段の電磁界により前記電力発生手段に前記指針用光源に供給する電力を発生させる指針式計器において、前記台座部材に前記表示板用光源からの光を前記指針軸とは直交する方向に透過させる透光部を設けたことを特徴とする指針式計器。
【請求項２】
前記台座部材が前記反射部材と一体形成されることを特徴とする請求項１記載の指針式計器。
【請求項３】
回路基板と、この回路基板の背面に本体部が固定され指針軸が前記回路基板の前面側に貫通する駆動本体と、前記指針軸に連結され軸回り回転する指針と、回路基板の前方側に配置され前記指針の指示対象となる指標部が形成された表示板と、この表示板の背後に対向配置され当該表示板との間で前記指針軸の周囲に空間部を形成する反射部材と、前記指針軸とは直交する方向から前記空間部内に光を供給し前記指標部を照明する表示板用光源と、前記指針に搭載される指針用光源及び電力発生手段と、この電力発生手段に対向配置される電磁界発生手段と、前記回路基板と前記電磁界発生手段との間であって前記指針軸の周囲に配置され当該電磁界発生手段を前記回路基板よりも電力発生手段に近い位置に支持する台座部材とを備え、前記電磁界発生手段の電磁界により前記電力発生手段に前記光源指針用光源に供給する電力を発生させる指針式計器において、前記台座部材が前記表示板用光源からの光を前記指針軸を挟んで反対側に透過させる透光性材料からなることを特徴とする指針式計器。
【発明の詳細な説明】
【技術分野】
【０００１】
本発明は、例えば自動車やオートバイに搭載され、駆動本体に連結された指針と、この指針に対応する指標部が形成された表示板とで、特に車速やエンジン回転数等の計測量を指示する指針式計器に関する。
【背景技術】
【０００２】
この種の指針式計器における表示板の照明手法として、例えば下記特許文献１に記載されたものが知られている。当該特許文献１記載の表示板の照明手法は、表示板を導光体によってエッヂライト照明するもので、表示板は指針の回動起動に応じて円弧状に配列された指標部を有し、導光体は円弧状に配列された指標部の全領域をカバーできるＵ字形（馬蹄形）に形成され、表示板の背後に重ねて配置されている。導光体に光を供給する表示板用光源は、利用者の視認方向を導光体の厚み方向としたとき、厚み方向とは直交する導光体の側端面に配置され、所謂、エッヂライト（サイドライト）方式にて導光体を面発光させ、指標部の全領域を少ない光源で明るく照明する構成である。
【０００３】
またこの種の指針式計器における指針の照明手法として、例えば下記特許文献２に記載されたものが知られている。当該特許文献２記載の指針の照明手法は、指針自体に搭載した指針用光源を電磁誘導による非接触通電方式に発光させて指針を照明するもので、指針には、指針用光源と共にコイルからなる電力発生手段が搭載され、この電力発生手段に対向するようにコイルからなる電磁界発生手段が設けられ、この電磁界発生手段の電磁界により電力発生手段に電力を発生させ、この電力により針用光源を点灯させて指針を照明する構成であり、ヒゲゼンマイや渦巻き状ＦＰＣ及び各種導電端子を用いた接触通電と比べ、組付けが容易となるメリットがある。この場合、回路基板上に駆動本体の指針軸を取り巻く台座部材を用意し、この台座部材上に電磁界発生手段を配置することで台座部材を電力発生手段に近づけ、電磁誘導効率を高めている。
【先行技術文献】
【特許文献】
【０００４】
【特許文献１】特開２００７−１３９７９１号公報
【特許文献２】特開２００４−２７１４１８号公報
【発明の開示】
【発明が解決しようとする課題】
【０００５】
ところで、前記特許文献１記載の表示板の照明手法と、前記特許文献２記載の指針の照明手法とを組み合わせることで、少ない光源で表示板の指標部を照明しつつ、組付け性の良好な指針式計器を構成することができるが、前記特許文献１記載の表示板の照明手法は、指標部の全領域をカバーする大型の導光体が必要であるため、重量増やコスト増を招く欠点がある。このため導光体を廃止するか、または必要最小限の大きさにして指標部とは離間した位置に配置すると共に、表示板に反射部材を対向配置するこことで反射部材と表示板との間に駆動本体の指針軸を取り巻く空間部を設け、この空間部に光源の光を直接入射させるか、あるいは必要最小限の大きさの導光体で導いた光を入射させることにより、反射部材と表示板との光の相互反射により表示板を照明することにより、軽量化やコスト削減を図ることが考えられる。
【０００６】
しかしながら、指針軸の周囲に台座部材が存在するため、空間部に導入された光が台座部材により遮られたり、台座部材で反射することにより、表示板の照明に悪影響を及ぼすことが懸念されるため、大型の導光体を使用せざるを得ず、軽量化やコスト削減を図ることが難しいという問題があった。
【０００７】
そこで、本発明は前述した問題点に着目し、電磁誘導による非接触通電方式にて指針を発光させるに際して台座部材を採用する場合でも軽量化やコスト削減を図ることができる指針式計器を提供することを目的とする。
【課題を解決するための手段】
【０００８】
本発明は、回路基板と、この回路基板の背面に本体部が固定され指針軸が前記回路基板の前面側に貫通する駆動本体と、前記指針軸に連結され軸回り回転する指針と、回路基板の前方側に配置され前記指針の指示対象となる指標部が形成された表示板と、この表示板の背後に対向配置され当該表示板との間で前記指針軸の周囲に空間部を形成する反射部材と、前記指針軸とは前記空間部を介して離間配置され前記空間部内に光を供給し前記指標部を照明する表示板用光源と、前記指針に搭載される指針用光源及び電力発生手段と、この電力発生手段に対向配置される電磁界発生手段と、前記回路基板と前記電磁界発生手段との間であって前記指針軸の周囲に配置され当該電磁界発生手段を前記回路基板よりも電力発生手段に近い位置に支持する台座部材とを備え、前記電磁界発生手段の電磁界により前記電力発生手段に前記指針用光源に供給する電力を発生させる指針式計器において、前記台座部材に前記表示板用光源からの光を前記指針軸とは直交する方向に透過させる透光部を設けたことを特徴とする。
このように構成したことにより、透光部を通じて表示板用光源からの光を指針軸を挟んで表示板用光源からの光の導入側（導入方向）とは反対側に透過させることで、台座部材が表示板照明に及ぼす影響を軽減することができるため、導光体の廃止やサイズ縮小が可能となり、これにより電磁誘導による非接触通電方式にて指針を発光させるに際して台座部材を採用する場合でも軽量化やコスト削減を図ることができる。
【０００９】
また本発明は、前記台座部材が前記反射部材と一体形成されることを特徴とする。
このように構成したことにより、部品点数を削減し、コスト削減が可能となる。
【００１０】
また本発明は、回路基板と、この回路基板の背面に本体部が固定され指針軸が前記回路基板の前面側に貫通する駆動本体と、前記指針軸に連結され軸回り回転する指針と、回路基板の前方側に配置され前記指針の指示対象となる指標部が形成された表示板と、この表示板の背後に対向配置され当該表示板との間で前記指針軸の周囲に空間部を形成する反射部材と、前記指針軸とは直交する方向から前記空間部内に光を供給し前記指標部を照明する表示板用光源と、前記指針に搭載される指針用光源及び電力発生手段と、この電力発生手段に対向配置される電磁界発生手段と、前記回路基板と前記電磁界発生手段との間であって前記指針軸の周囲に配置され当該電磁界発生手段を前記回路基板よりも電力発生手段に近い位置に支持する台座部材とを備え、前記電磁界発生手段の電磁界により前記電力発生手段に前記光源指針用光源に供給する電力を発生させる指針式計器において、前記台座部材が前記表示板用光源からの光を前記指針軸を挟んで反対側に透過させる透光性材料からなることを特徴とする。
このように構成したことにより、透光性材料からなる台座部材を通じて表示板用光源からの光を指針軸を挟んで表示板用光源からの光の導入側（導入方向）とは反対側に透過させることで、台座部材が表示板照明に及ぼす影響を軽減することができるため、導光体の廃止やサイズ縮小が可能となり、これにより電磁誘導による非接触通電方式にて指針を発光させるに際して台座部材を採用する場合でも軽量化やコスト削減を図ることができる。
【発明の効果】
【００１１】
本発明によれば、電磁誘導による非接触通電方式にて指針を発光させるに際して台座部材を採用する場合でも軽量化やコスト削減を図ることができる指針式計器を提供することができる。
【図面の簡単な説明】
【００１２】
【図１】本発明の第１の実施形態による指針式計器を前面側から見た時の斜視図。
【図２】同指針式計器を前面側から見たときの分解斜視図。
【図３】同指針式計器を背面側から見たときの分解斜視図。
【図４】同指針式計器に組み込まれる照明ユニットを前方から見たときの斜視図。
【図５】同照明ユニットの分解斜視図。
【図６】図１のＡ−Ａ断面図（ハッチング省略）。
【図７】同指針式計器に組み込まれる台座部材の斜視図。
【図８】本発明の第２の実施形態による指針式計器の要部断面図（ハッチング省略）。
【図９】本発明の第３の実施形態による指針式計器の要部断面図（ハッチング省略）。
【発明を実施するための形態】
【００１３】
（第１の実施形態）
本発明の第１の実施形態による計器装置は、図１〜図３に示すように、背面カバー１と、回路基板２と、支持部材（反射部材）３と、照明ユニット４と、パネル部材（表示板）５と、第１の表示板６（表示板）と、第２の表示板（表示板）７と、指針８とを備えている。
【００１４】
背面カバー１は、例えば遮光性もしくは透光性を有する合成樹脂によって前方が開口する有底枠体に形成され、この実施形態では回路基板２、支持部材３と、照明ユニット４、パネル部材５、第１の表示板６、第２の表示板７を収納している。なおパネル部材５の前面には、化粧パネルや透明カバーが配置されるが、これらは図示省略されている。
【００１５】
回路基板２は、例えばガラスエポキシ系材料または紙フェノールからなる硬質の絶縁部材を基材とするもので、図示しない回路パターンが印刷形成されている。この回路基板には、図示省略した各種インジケータ類や後述する補助計器の指針８や後述する指標部を照明する発光ダイオードＬ、各用途に応じた複数個の駆動本体Ｍ、後に詳述する照明ユニット４、後述する台座部材９等が装着固定されている。
【００１６】
駆動本体Ｍは、例えば指針軸Ｓを有するステッピングモータが適用され、回路基板２の背面側に本体部が装着され、指針軸Ｓは回路基板２を貫通して前方に突出（貫通）している。本実施形態では計器（指針８）の数に応じて４個の駆動本体Ｍが用いられている。
【００１７】
支持部材（反射部材）３は、例えば乳白色の合成樹脂からなり、回路基板２の前面に位置してパネル部材５と、第１の表示板６と、第２の表示板７の背後に対向配置され、回路基板２の外形に沿った周壁３１と、パネル部材５を背後から支持する第１の支持部３２と、第１の表示板６を背後から支持する第２の支持部３３と、照明ユニット４に対応した第１の切欠部３４と、照明ユニット４の後述する出射面が臨む第２の切欠部３５と、この第２の切欠部３５を通じて取り入れた光を第１の表示板６側に反射する反射板部３６とを有している。
【００１８】
第２の支持部３３は、第１の表示板６の外形に沿った円筒形に形成され、その一部が照明ユニット４の前面を横切るように形成される。
【００１９】
反射板部３６は、図６に示すように、第１の表示板６との間で指針軸Ｓの周囲に空間部３７を形成すると共に照明ユニット４から遠ざかるに従って第１の表示板６に近づく傾斜面として形成されている。
【００２０】
照明ユニット４は、図４，図５に示すように、背面フレーム（ベース部材）４１と、第１の中間フレーム４２と、液晶用導光体４３と、文字板用導光体４４と、第２の中間フレーム４５と、液晶パネル４６と、前面フレーム４７とからなる。
【００２１】
背面フレーム４１は、例えば金属板をプレス抜きした後に折り曲げ加工を施すことにより、底板部４１１と、この底板部４１１の周囲を取り巻く側壁部４１２，４１３とを形成してなるもので、照明ユニット４のシャーシ部材として、第１の中間フレーム４２と、液晶用導光体４３と、表示板用導光体４４と、第２の中間フレーム４５と、液晶パネル４６と、前面フレーム４７とを支持する他、後述する液晶用光源と表示板用光源の熱を放熱する放熱部材や各種ノイズ、静電気等を遮断するシールド部材としても機能する。
【００２２】
底壁部４１１には、表示板用導光体４４に対応した幅広部が形成されている。また側壁部４１２，４１３のうち、各導光体４３，４４の後述する受光面に対応する側壁部４１３は、光源基板４８を取り付けるための取付部として設けられ、前記受光面位置に応じて屈曲形成されている。
【００２３】
光源基板４８は、側壁部４１３に沿って細長く伸びる例えばＦＰＣ（フレキシブル・プリント・サーキット）からなり、液晶用導光体４３の前記受光面と対向する第１の基板部４８１と、表示板用導光体４４の前記受光面と対向する第２の基板部４８２とを連続して有する。
【００２４】
第１の基板部４８１には、液晶用光源ＬＰが複数（４）個、長手方向に沿って等間隔に実装され、また第１の基板部４８２にも表示板用光源ＬＤが複数個（表示板用導光体４４の数に応じて計４個）、長手方向に沿って間隔を空けて実装され、各光源ＬＰ，ＬＤの発光軸は、各導光体４３，４４の側端面に位置する前記各受光面に向けられ、これにより各導光体４３，４４は側端面に位置する前記各受光面から各光源ＬＰ，ＬＤの光をエッヂライト方式にて入射させ、面発光する構成となっている。液晶用光源ＬＰと表示板用光源ＬＤは共に発光ダイオードからなる。またこの場合、表示板用光源ＬＤは、指針軸Ｓとは空間部３７を介して指針軸Ｓの軸方向とは直交する方向に離間配置され、表示板用導光体４４を通じて指針軸Ｓとは直交する方向から空間部３７内に光を供給し前記指標部を照明する。なお本実施形態では表示板用導光体４４を通じて指針軸Ｓとは直交する方向から空間部３７内に光を供給する構成としたが、表示板用導光体４４を使用せず、直接指針軸Ｓとは直交する方向から空間部３７内に光を供給する構成としてもよい。さらに本実施形態では、表示板用光源ＬＤの光の照射方向を指針軸Ｓとは直交する方向に設定したが、表示板用導光体４４や図示しない反射手段を通じて指針軸Ｓとは直交する方向から空間部３７内に光を供給できれば指針軸Ｓの軸方向に光を照射するように設定してもよい。
【００２５】
第１の中間フレーム４２は、例えば白色の合成樹脂からなり、液晶用導光体４３を収容する収納部４２１と、表示板用導光体４４を背後から支持する一対の導光体支持部４２２とを有し、収納部４２１と導光体支持部４２２との間には、各導光体４３，４４どうしを仕切る仕切壁４２３が形成され、この仕切壁４２３には、各導光体４３，４４を連結する後述する連結部を通すための切欠部４２４が複数形成されている。
【００２６】
液晶用導光体４３は、透光性合成樹脂によって、液晶用光源ＬＰから遠ざかるに従って厚みが薄くなる正面視長方形の板材として形成され、その液晶用光源ＬＰと対向する側端面には、液晶用光源ＬＰからの光を受光する受光面４３１が、液晶パネル４６に対向する前面部は受光面４３１からの光を液晶パネル４６側に出射する出射面４３２がそれぞれ形成されている。なおこの場合、液晶用導光体４３を正面視四角形状としたのは、液晶用導光体４３を液晶パネル４６の形状に対応させたものである。
【００２７】
表示板用導光体４４は、透光性合成樹脂によって、その主要部が正面視長方形の液晶用導光体４３の長辺に沿って図２中、上下方向に細長く伸びる横断面四角形状の直方体（棒状体）に形成され、液晶用導光体４３の両サイドに隣接して２個、設けられている。
【００２８】
各表示板用導光体４４は、連結部４９を通じて液晶用導光体４３と連続（一体）形成されており、表示板用光源ＬＤと対向する側端面に形成され、表示板用光源ＬＤからの光を受光する受光面４４１と、この受光面４４１から導入した光を液晶用導光体４３側とは反対側に出射する出射面４４２と、受光面４４１から導入した光を出射面４４２の出射方向とは若干異なる特定方向に出射する出射面４４３と、液晶用導光体４３との隣接方向において出射面４４２に対向し受光面４４１からの光を出射面４４２側に反射する略鋸歯状の反射部４４４と、受光面４４１からの光を出射面４４３側に反射する反射溝４４５とがそれぞれ形成されている。
【００２９】
第２の中間フレーム４５は、例えば白色の合成樹脂からなり、第１の中間フレーム４２の収納部４２１と共に液晶用導光体４３を収容する収納部４５１と、表示板用導光体４４を前面側から覆う一対の覆い部４５２と、液晶パネル４６を背後から保持する保持部４５３とが形成されている。
【００３０】
覆い部４５２には、表示板用導光体４４の光を後述する重なり部に向けて透過するための透光孔４５４が形成されている。
【００３１】
液晶パネル４６は、例えばＴＦＴ（薄膜トランジスタ）型の液晶パネルからなり、様々な車両情報や画像等を表示する。
【００３２】
前面フレーム４７は、例えば金属板をプレス抜きした後に折り曲げ加工を施すことにより、底板部（前板部）４７１と、この底板部４１１の周囲を取り巻く側壁部４７２とを形成してなるもので、この場合、底板部４７１には、液晶パネル４６を透視可能な窓部４７３が形成されている。
【００３３】
以上のごとく形成される背面フレーム４１と、第１の中間フレーム４２と、液晶用導光体４３と、文字板用導光体４４と、第２の中間フレーム４５と、液晶パネル４６と、前面フレーム４７は、背面フレーム４１の前方に第１の中間フレーム４２を、第１の中間フレーム４２の前方に各導光体４３，４４を、各４３，４４の前方に第２の中間フレーム４５を、第２の中間フレーム４５の前方に液晶パネル４６を、液晶パネル４６の前方に前面フレーム４７を、それぞれ積層状態に順次組付けることで、液晶パネル４６と、この液晶パネル４６をバックライト照明する液晶用導光体４３と、後述する表示板をバックライト照明する表示板用導光体４４と、各導光体４３，４４に光を供給する各光源ＬＰ，ＬＤと、これら光源ＬＰ，ＬＤを支持する光源基板４８とを結合し一体化してなる照明ユニット４を構成する。
【００３４】
この際、背面フレーム４１と、第１の中間フレーム４２と、第２の中間フレーム４５と、前面フレーム４７は、液晶パネル４６と、表示板用導光体４４と、液晶用導光体４３と、光源基板４８を結合する所定部材となると共に、このように前記所定部材を介して一体化してなる照明ユニット４は、その組み立て完成状態で、表示板用導光体４４の出射面４４２，４４３を導光体支持部４２２と覆い部４５２との間から露出させてなる。
【００３５】
このように構成された照明ユニット４は、図２において、各光源ＬＰ，ＬＤ側が下方に位置し、出射面４４２，４４３が左右方向に露出し、液晶パネル４６が前方を向き、背面フレーム４１が背後方向を向くように回路基板２の中央部にビス留め固定される。なお図２中、上下左右方向及び前方、背後方向とは、実際の使用状態において利用車が計器装置を正面視したときの方向に一致する。
【００３６】
また支持部材３を回路基板２上に組付けた際、照明ユニット４は、その液晶パネル４６の表示面が第１の切欠部３４に臨み、出射面４４２，４４３が第２の切欠部３５に臨む。
【００３７】
パネル部材５は、支持部材３の外形に対応した形状の透光性合成樹脂板にスクリーン印刷等を施してなり、例えば全体の背景色は黒色で、図２中、水温計ＴＥからなる補助計器を構成する最も左側に位置する指針８に対応する指標部（図示しない）と、燃料計ＦＵからなる補助計器を構成する最も右側に位置する指針８に対応する指標部（図示しない）とが形成されている。また第１の表示板６に対応するパネル部材５箇所には、第１の表示板６に対応すると共に支持部材３の第２の支持部３３を挿入してパネル部材５から前方に突出させるための開口孔５１が二つ形成されている。
【００３８】
第１の表示板６は、円板形の透光性合成樹脂板にスクリーン印刷等を施してなり、パネル部材５の開口孔５１に対応して二つ設けられている。これら第１の表示板６は、例えば全体の背景色が黒色で、図２中、左から２番目の指針８に対応する速度計ＳＰからなる主計器を構成する第１の表示板６には、速度計用の数字からなる透光性の指標部（図示しない）が形成され、図２中、右から２番目の指針８に対応するエンジン回転計ＴＡからなる主計器を構成する第１の表示板６には、エンジン回転計用の数字からなる透光性の指標部（図示しない）が形成されている。またこれら第１の表示板６の外周部には図示しない環状透光部が形成され、この環状透光部を介して第２の表示板７側に光を透過する構成となっている。
【００３９】
第２の表示板７は、所定色を有する背景中に速度計用の目盛からなる透光性の指標部が印刷形成された透光性合成樹脂板を絞り成型することにより、径方向の断面形状が山形の環状部材として形成され、支持部材３の第２の支持部３３の外壁側部と第１の表示板６の外周縁を覆うように配置される。第２の表示板７の前記指標部は第１の表示板６の環状透光部を介して照明される。なお図１〜図３では、速度計ＳＰだけに第２の表示板７を設け、エンジン回転計ＴＡ側に設ける第２の表示板７は省略している。
【００４０】
各指針８は例えば透光性合成樹脂からなる指示部８１と、この指示部８１の回転中心部を覆うキャップ８２とで構成され、駆動本体Ｍの指針軸Ｓに連結され、パネル部材５及び第１の表示板６上を計測量に応じて軸回り回転する。
【００４１】
これら指針８のうち、速度計ＳＰとエンジン回転計ＴＡを構成する指針８は、他の補助計器用の指針８とは異なり、図６に示すようにキャップ８２内に指針用光源ＬＮとこの指針用光源ＬＮを実装する指針基板８３とを内蔵している。
【００４２】
指針用光源ＬＮは、例えば発光ダイオードからなり、発光部が指示部８１側を向くように指針基板８３に実装されている。
【００４３】
指針基板８３は、指針用光源ＬＮに連なる接続パターン（図示しない）と、後述する電磁界発生手段との電磁誘導作用（磁界発生手段の電磁界）に応じて電力を発生させるコイルパターン（電力発生手段）８４とを形成する銅箔回路パターンが形成されている。なお電力発生手段は、コイルボビンに導線を巻いたものでもよい。
【００４４】
コイルパターン８４は、指針基板８３の背面（前記電磁界発生手段側）に、前記電磁界発生手段に対向するように渦巻き状に形成され、指針用光源ＬＮとは、スルーホールを通じて接続されている。
【００４５】
台座部材９は、遮光性を有する合成樹脂からなり、回路基板２と前記電磁界発生手段との間にして指針軸Ｓの周囲に配置され、図７に詳しく示すように、指針８の回転平面と平行な支持部９１と、この支持部９１から回路基板２側に伸びる脚部である側壁部９２とを有する。
【００４６】
支持部９１は、指針８の回転中心に対向する正面視円形に形成され、その指針８側を向く面は指針８の回転平面と平行に伸び、更にその中心には、指針８と指針軸Ｓとの連結を可能とする孔部が９３が形成されている。
【００４７】
この支持部９１は、電力供給により電磁界を発生する電磁界発生手段ＥＭを回路基板２の基板面よりも指針８に近づけるために電磁界発生手段ＥＭを背後から支持する。
【００４８】
電磁界発生手段ＥＭは、例えばＦＰＣ（フレキシブル・プリント・サーキット）からなるフィルム状基板に印刷形成されたコイル状（渦巻き状）配線パターンからなる（図示省略）。このコイル状配線パターンの中心は、指針軸Ｓ位置に近接している。なお電磁界発生手段ＥＭは、コイルボビンに導線を巻いたものでもよい。
【００４９】
この電磁界発生手段ＥＭにより発生する電磁界は、コイルパターン８４に電力を発生させ、指針用光源ＬＮを発光させる対して電磁誘導作用により場合、指針８には、後述する電力発生手段が搭載され、この電力発生手段が電磁界発生手段ＥＭの電磁界を受けて後述する指針用光源に供給する電力を発生させる。
【００５０】
また前記フィルム状基板の端部は、側壁部９２を通って回路基板２の基板面へと引き回され、回路基板２上に搭載したコネクタＣを通じて前記回路パターンと接続される。
【００５１】
側壁部９２は、略円筒形に形成されているが、その適宜箇所には、表示板用光源ＬＤからの光を指針軸Ｓとは直交する方向であって、指針軸Ｓを挟んで表示板用光源ＬＤからの光の導入側（導入方向）とは反対側に通すための透光部９４が形成されている。
【００５２】
以下、本実施形態による計器装置の組付けを説明する。
まず背面カバー１の開口側から回路基板２を収納して固定する。この際、回路基板２には、予め照明ユニット４と台座部材９、電磁界発生手段ＥＭを装着しておく。
【００５３】
次に回路基板２上に支持部材３、支持部材３上にパネル部材５及び第１の表示板６、パネル部材５及び第１の表示板６上に第２の表示板７の順序で組付け、最後にパネル部材５、第１の表示板６上から指針軸Ｓに各指針８を圧入して完了となる。
【００５４】
次に液晶パネル４６、水温計ＴＥ、燃料計ＦＵ、速度計ＳＰ、エンジン回転計ＴＡの照明について
説明する。
【００５５】
（液晶パネル４６の照明）
照明ユニット４に組み込まれた液晶用光源ＬＰが発光すると、その光は受光面４３１を通じて液晶用導光体４３に入射して内部導光され、これにより液晶用導光体４３が面発光し、その面発光した光が出射面４３２から照射し、背後から液晶パネル４６をバックライト照明する。
【００５６】
（水温計ＴＥ及び燃料計ＦＵ）
回路基板２上に実装された発光ダイオードＬが発光すると、その光は支持部材３を通じて反射導光され、指針８及びパネル部材５の前記指標部を背後から照らす。
【００５７】
（速度計ＳＰ及びエンジン回転計ＴＡを構成する第１，第２の表示板６，７の照明）
照明ユニット４に組み込まれた表示板用光源ＬＤが発光すると、その光は受光面４４１を通じて表示板用導光体４４に入射する。表示板用導光体４４に入射した光は、内部導光されると共に反射部４４４と反射溝４４５とを通じて反射されて各出射面４４２，４４３から出射される。この出射光は、支持部材３の第２の切欠部３５を通じて反射板部３６と第１の表示板６との間に形成された空間部内に照射され、反射板部３６と第１の表示板６との間を繰り返し反射することで、第１の表示板６の前記指標部を背後から照明すると共に、第１の表示板６の前記環状透光部を介して第２の表示板７の前記指標部を背後から照明する。
【００５８】
この際、指針軸Ｓの周囲には台座部材９が配置されているが、この台座部材９の側壁部９２は、指針軸Ｓを挟んで表示板用光源ＬＤからの光の導入側（導入方向）とは反対側に通す切り欠きもしくは開口状の透光部９４が形成されているため、台座部材９で光の進行がブロックされないように構成している。さらに出射面４４３から出射される光の出射方向は、出射面４４２の出射方向とは若干異なる特定方向に角度調整されており、これによっても台座部材９を挟んで照明ユニット４（出射面４４２）とは反対側の輝度不足を解消するように配慮されている。
【００５９】
また液晶パネル４６の周囲には、図１、図６に示すように、視認方向から見て液晶パネル４６の一部に第１の表示板６の前記指標部の一部が重なるように配置されることで、第１の表示板６に重なり部Ｂが形成されており、この重なり部Ｂに位置する表示板６の前記指標部領域は、液晶パネル４６に重なるため、本来、照明光が液晶パネル４６に遮られて光が届きにくいが、本実施形態では、その一部が液晶パネル４６上に位置する（支持部材３の）第２の支持部３３で第１の表示板６を支持することにより、重なり部Ｂと液晶パネル４６領域との間には空間部Ｋが形成され、この空間部Ｋ内に照明ユニット４の透光孔４５４を通じて表示板用導光体４４の光を導入し、この導入光で重なり部Ｂ内の前記指標部領域を照明するようにしている。
【００６０】
なお本実施形態では、空隙部Ｋに導入した表示板用導光体４４の光で重なり部Ｂを照明するようにしたが、照明効率を高めるために透光孔４５４上に透光孔４５４を通過した光を重なり部Ｂに反射する反射部材（図示しない）を設けてもよい。また表示板用導光体４４を重なり部Ｂまで延長し、この延長部（図示しない）で重なり部Ｂを照明してもよい。
【００６１】
（速度計ＳＰ及びエンジン回転計ＴＡを構成する指針８の照明）
電磁界発生手段ＥＭへの電力供給により電磁界が発生し、この電磁界による電磁誘導作用によってのコイルパターン８４に電力が発生し、その電力で指針用光源ＬＮが発光し、その光が指示部８１に入射して発光する。
【００６２】
以上のように本実施形態では、回路基板２と、この回路基板２の背面に本体部が固定され指針軸Ｓが回路基板２の前面側に貫通する駆動本体Ｍと、指針軸Ｓに連結され軸回り回転する指針８と、回路基板２の前方側に配置され指針８の指示対象となる前記指標部が形成されたパネル部材（表示板）５及び第１，第２の表示板（表示板）６，７と、第１の表示板６の背後に対向配置され第１の表示板との間で指針軸Ｓの周囲に空間部３７を形成する反射部材３と、指針軸Ｓとは空間部３７を介して離間配置され空間部３７内に光を供給し前記指標部を照明する表示板用光源ＬＤと、指針８に搭載される指針用光源ＬＮ及びコイルパターン（電力発生手段）８４と、このコイルパターン８４に対向配置される電磁界発生手段ＥＭと、回路基板２と電磁界発生手段ＥＭとの間であって指針軸Ｓの周囲に配置され当該電磁界発生手段ＥＭを回路基板２よりもコイルパターン８４に近い位置に支持する台座部材９とを備え、電磁界発生手段ＥＭの電磁界によりコイルパターン８４に指針用光源ＬＮに供給する電力を発生させる指針式計器において、台座部材９に表示板用光源ＬＤからの光を指針軸Ｓとは直交する方向に透過させる透光部９４を設けたことにより、透光部９４を通じて表示板用光源ＬＤからの光を指針軸Ｓを挟んで表示板用光源ＬＤからの光の導入側（導入方向）とは反対側に透過させることで、台座部材９が表示板照明に及ぼす影響を軽減することができるため、導光体の廃止やサイズ縮小が可能となり、これにより電磁誘導による非接触通電方式にて指針を発光させるに際して台座部材を採用する場合でも軽量化やコスト削減を図ることができる。
【００６３】
（第２の実施形態）
本発明の第２の実施形態では、図８に示すように、合成樹脂により台座部材９を支持部材（反射部材）３と一体に射出成形したものである。このように構成することにより、部品点数を削減し、コスト削減が可能となる。
【００６４】
（第３の実施形態）
本発明の第３の実施形態では、図９に示すように、透光部９４を廃止する代わりに台座部材を例えば透明または半透明な合成樹脂により、回路基板２側に開口する有底筒体に形成したものである。このように構成することにより、前記第１の実施形態と同様の効果を期待できる。
【００６５】
なお前記第１の実施形態では、台座部材９を遮光性材料から形成したが、透光性材料から形成して透光部９４を設けてもよい。
【符号の説明】
【００６６】
１  背面カバー
２  回路基板
３  支持部材
４  照明ユニット
５  パネル部材
６  第１の表示板
７  第２の表示板
８  指針
９  台座部材
３１  周壁
３２  第１の支持部
３３  第２の支持部
３４  第１の切欠部
３５  第２の切欠部
３６  反射板部（反射部材）
３７  空間部
４１  背面フレーム（ベース部材）
４２  第１の中間フレーム
４３  液晶用導光体
４４  文字板用導光体
４５  第２の中間フレーム
４６  液晶パネル
４７  前面フレーム
４８  光源基板
４９  連結部
５１  開口孔
８１  指示部
８２  キャップ
８３  指針基板
８４  コイルパターン（電力発生手段）
９１  支持部
９２，４７２  側壁部
９３  孔部
９４  透光部
４１１  底板部
４１２，４１３  側壁部
４２１  収納部
４２２  導光体支持部
４２３  仕切壁
４２４  切欠部
４３１，４４１  受光面
４３２，４４２，４４３  出射面
４４４  反射部
４４５  反射溝
４５１  収納部
４５２  覆い部
４５３  保持部
４５４  透光孔
４７１  底板部（前板部）
４８１  第１の基板部
４８２  第２の基板部
ＥＭ  電磁界発生手段
Ｋ  空隙部
Ｌ  発光ダイオード
Ｍ  駆動本体
Ｓ  指針軸
ＬＰ  液晶用光源
ＬＤ  表示板用光源
ＬＮ  指針用光源
ＦＵ  燃料計
ＳＰ  速度計
ＴＡ  エンジン回転計
ＴＥ  水温計
【図１】
2011133349.tif 000003
【図２】
2011133349.tif 000004
【図３】
2011133349.tif 000005
【図４】
2011133349.tif 000006
【図５】
2011133349.tif 000007
【図６】
2011133349.tif 000008
【図７】
2011133349.tif 000009
【図８】
2011133349.tif 000010
【図９】
2011133349.tif 000011